(57)【要約】      （修正有）【課題】暗い中での電池交換を容易に行なうことができる携帯照明具を提供する。【解決手段】発光体と、発光体へ電力を供給する電池と、発光体および電池を収納するケーシングとからなる携帯照明具であって、ケーシングが、電池を装填するための開口部を備えた本体と、本体の開口部に着脱可能に装着された蓋体６とを備え、本体と蓋体の少なくとも一方に、蓋体を本体から取り外した際に発光させられる補助発光手段Ｓが設けられている。補助発光手段は、補助発光体７と、補助発光体に電力を供給する補助電池８と、本体と蓋体との装着部に設けられ、本体若しくは蓋体によって操作されて、電力の供給および遮断をなすスイッチ１１とによって構成され、補助電池は乾電池であるか、又は太陽光発電パネルと、太陽光発電パネルの電力を蓄える二次電池１０と、二次電池に電力を充電する充電器９とを備えていることが好ましい。【選択図】図３
0003195488.tif 000002
【実用新案登録請求の範囲】
【請求項１】
発光体と、この発光体へ電力を供給する電池と、これらの発光体および電池を収納するケーシングとからなる携帯照明具であって、前記ケーシングが、前記電池を装填するための開口部を備えた本体と、この本体の開口部に着脱可能に装着された蓋体とを備え、前記本体と前記蓋体の少なくとも一方に、前記蓋体を前記本体から取り外した際に発光させられる補助発光手段が設けられていることを特徴とする携帯照明具。
【請求項２】
前記補助発光手段が、光を照射する補助発光体と、この補助発光体に電力を供給する補助電池と、前記本体と前記蓋体との装着部に設けられ、これらの本体若しくは蓋体によって操作されて、前記電力の供給および遮断をなすスイッチとによって構成されていることを特徴とする請求項１に記載の携帯照明具。
【請求項３】
前記補助電池が乾電池であることを特徴とする請求項２に記載の携帯照明具。
【請求項４】
前記補助電池が、前記補助発光体へ供給される電力を生成する太陽光発電パネルと、この太陽光発電パネルによって生成された電力を蓄える二次電池と、この二次電池に前記電力を充電する充電器とを備えていることを特徴とする請求項２に記載の携帯照明具。
【考案の詳細な説明】
【技術分野】
【０００１】
本考案は、使用者が把持して用いる懐中電灯や、使用者の頭部に装着して用いるヘッドライト、あるいは、自転車等に装着されるヘッドランプやテールランプ等の、使用者が携帯し、若しくは、使用者が利用する機器に装着して使用される携帯照明具に関するものである。
【背景技術】
【０００２】
従来、前述した携帯照明具は、特許文献１に示されるように、電源としての電池と、この電池で発光させられる発光体とを一つのケーシング内に組み込んで構成されている。
【０００３】
このような携帯照明具は、電源としての電池が消耗すると、その機能が失われ、その都度、電池の交換を行なわなければならない。
【先行技術文献】
【特許文献】
【０００４】
【特許文献１】特開２０１２−１９９０３８号公報
【考案の概要】
【考案が解決しようとする課題】
【０００５】
ところで、前述した従来の携帯照明具において、電池の消耗に気付くのは、その殆どが、携帯照明具の使用開始時、あるいは、使用中であり、したがって、電池の交換を、照明のない状態で行なうことを余儀なくされる。
【０００６】
このように照明のない状態で電池の交換作業を行なうと、電池の向きの確認を行ないづらく、また、ケーシングの電池挿入口の位置確認を行ないづらいことから、その作業が繁雑なものとなっている。
【０００７】
本考案は、このような従来の問題点に鑑みてなされたもので、暗い中での電池交換を容易に行なうことができる携帯照明具を提供することを課題とする。
【課題を解決するための手段】
【０００８】
本考案に係わる携帯照明具は、前述した課題を解決するために、発光体と、この発光体へ電力を供給する電池と、これらの発光体および電池を収納するケーシングとからなる携帯照明具であって、前記ケーシングが、前記電池を装填するための開口部を備えた本体と、この本体の開口部に着脱可能に装着された蓋体とを備え、前記本体と前記蓋体の少なくとも一方に、前記蓋体を前記本体から取り外した際に発光させられる補助発光手段が設けられていることを特徴とする。
【０００９】
このような構成とすることにより、通常時は、前記ケーシングの蓋体は本体に装着された状態で使用、若しくは、保管される。
この状態において、前記補助発光手段は非作動状態に保持され、前記蓋体を前記本体から取り外した際に、前記補助発光手段が発光させられる。
【００１０】
したがって、使用開始時や使用中において、前記携帯照明具の電池の消耗が確認された時点で前記蓋体を本体から取り外すことにより、前記補助発光手段を発光させて、その回りを明るくすることができる。
【００１１】
これによって、前記ケーシング回りの明るさを確保することができ、その電池挿入口の位置や向き、あるいは、挿入する新規の電池の向きを確認することができるので、その交換作業を円滑なものとすることができる。
【００１２】
一方、前述したような作業を完了して、前記蓋体を前記本体に装着すると、新しい電池によって、携帯照明具の通常の照明機能が回復する。
【００１３】
同時に、前記補助発光手段の照射が停止され、この補助発光手段における電力消費が停止される。
したがって、この補助発光手段における消費電力が最小限度に抑えられることにより、この補助発光手段による補助的な照明機能が長期にわたって維持される。
【００１４】
そして、前記補助発光手段を、光を照射する補助発光体と、この補助発光体に電力を供給する補助電池と、前記本体と前記蓋体との装着部に設けられ、これらの本体若しくは蓋体によって操作されて、前記電力の供給および遮断をなすスイッチとによって構成することができる。
【００１５】
このような構成とすることにより、補助発光体への電力供給、および、その停止を、前記蓋体の着脱操作によって確実に行なうことができる。
【００１６】
また、前記補助電池は、乾電池によって構成してもよく、前記補助発光体へ供給される電力を生成する太陽光発電パネルと、この太陽光発電パネルによって生成された電力を蓄える二次電池と、この二次電池に前記電力を充電する充電器とによって構成することもできる。
【００１７】
前者の場合にあっては、前記補助発光手段自体の消費電力が少なく、その交換頻度が少なくてすむのであるが、定期的な確認と交換が必要である。
【００１８】
後者の場合にあっては、携帯照明具の保管位置を明るい場所に設定しておくことにより、補助電池としての二次電池を、太陽光発電パネルによって生成される電力によって充電しておくことができ、補助電池の交換作業が不要となる。
【考案の効果】
【００１９】
本考案の携帯照明具によれば、照明に用いられる電池が消耗して、暗い中での電池の交換作業を行なわなければならない場合においても、蓋体を本体から取り外して補助発光手段を発光させることにより、前記本体回りの照明を確保して、前述した交換作業を円滑に行なうことができる。
【図面の簡単な説明】
【００２０】
【図１】本考案の第１の実施形態にかかる携帯照明具の外観斜視図である。
【図２】本考案の第１の実施形態にかかる携帯照明具の分解斜視図である。
【図３】本考案の第１の実施形態を示すもので、蓋体の縦断面側面図である。
【図４】本考案の第２の実施形態を示すもので、蓋体の縦断面側面図である。
【図５】本考案の第３の実施形態を示すもので、本体と蓋体との取り付け部を示す縦断面側面図である。
【図６】本考案の第４の実施形態を示すもので、本体と蓋体との取り付け部を示す縦断面側面図である。
【考案を実施するための形態】
【００２１】
以下、本考案の第１の実施形態について、図１ないし図３を参照して説明する。
図１および図２において、符号１は、本実施形態に係わる携帯照明具を示し、この携帯照明具１は、使用者によって把持されるケーシング２を備えている。
【００２２】
前記ケーシング２は、内部に乾電池３が装填されるようになっているとともに、前記乾電池３の装填を行なう開口部４ａが後部に形成された本体４と、前記ケーシング２の前部に内装された発光体５と、前記本体４の開口部４ａを覆って着脱可能に装着された蓋体６とによって構成されている。
【００２３】
そして、本実施形態においては、図３に示すように、前記蓋体６に、本実施形態の特徴部分である補助発光手段Ｓが組み込まれている。
【００２４】
この補助発光手段Ｓは、前記蓋体６の内部に装着された補助発光体７と、前記蓋体６の後部に、外方へ露出するようにして装着された太陽光発電パネル８と、この太陽光発電パネル８によって生成される電力を、充電器９を介して蓄積する二次電池１０と、前記蓋体６の、前記本体４が嵌合させられる部位に設けられたスイッチ１１とによって構成されている。
【００２５】
本実施形態においては、前記太陽光発電パネル８、前記充電器９、および、前記二次電池１０によって補助電池が構成されている。
【００２６】
前記スイッチ１１は、前記蓋体６を前記本体４に、その開口部４ａを覆うように装着した状態において、前記本体４の開口部４ａの縁部内壁によって押圧されることによりＯＦＦとなされ、その押圧が開放された状態においてＯＮとなされるようになっている。
【００２７】
そして、前記スイッチ１１は、そのＯＦＦ状態において、前記二次電池１０と前記補助発光体７との電気的接続を遮断して、前記補助発光体７への電力の供給を遮断し、ＯＮ状態において、前記補助発光体７への電力供給を行なうようになっている。
【００２８】
一方、図１および図２において符号１２は、前記本体４に装着されている前記発光体５の点灯および消灯を行なうためのメインスイッチを示す。
【００２９】
このように構成された本実施形態に係わる携帯照明具１は、前記本体４内に前記乾電池３を装填した後に、前記本体４の開口部４ａに、この開口部４ａを覆って前記蓋体６を装着し、前記メインスイッチ１２を操作して、前記乾電池３から前記発光体５への通電やその遮断を行なうことにより、通常の携帯照明具１として使用される。
【００３０】
そして、前記乾電池３の消耗等により前記発光体５の発光が困難となり、前記乾電池３の交換が必要となった場合には、前記蓋体６を前記本体４から取り外して、この本体４の開口部４ａを開放し、内装されている前記乾電池３を取り出して新しい乾電池３に取り替えた後、前記開口部４ａを前記蓋体６によって閉じる。
これによって、再度、携帯照明具１として使用可能な状態とすることができる。
【００３１】
一方、本実施形態の携帯照明具１は、太陽光若しくは照明の当たる場所に保管しておくことにより、前記補助発光手段Ｓを構成する太陽光発電パネル８において発電がなされ、その電力が、前記充電器９を介して前記二次電池１０に充電される。
【００３２】
そして、前記蓋体６を前記本体４から取り外した状態において、前記補助発光手段Ｓを構成するスイッチ１１がＯＮとなされ、前記二次電池１０より前記補助発光体７へ電力が供給され、図３に矢印で示すように、この補助発光体７の発光がなされる。
【００３３】
このように補助発光体７の発光がなされると、前述したような前記乾電池３の交換作業を暗い場所で行なわなければならない場合等において、前記本体４の開口部４ａや、出し入れする乾電池３の方向を、前記補助発光体７の光で確認することができる。
【００３４】
したがって、暗闇における前述した作業を簡便に、かつ、確実に行なうことができる。
【００３５】
また、交換する乾電池３がない場合等にあっては、前記補助発光手段Ｓを用いて照明を確保することも可能である。
【００３６】
図４は、本考案の第２の実施形態を示すもので、第１の実施形態において示した補助電池に変更を加えたものである。
【００３７】
すなわち、本実施形態においては、補助電池としてボタン電池等の乾電池１３を用い、前記第１の実施形態における前記太陽光発電パネル８や前記充電器９、および、二次電池１０に置き換えたものである。
【００３８】
このような構成とすることにより、前記携帯照明具１の保管位置に制限されることなく前記補助発光手段Ｓの電力を確保することできる。
しかしながら、前記蓄電池１３の消耗を定期的に確認する作業が必要となるため、前記携帯照明具１の使用環境に応じて、前記両実施形態を選択的する必要がある。
【００３９】
なお、前記各実施形態において示した各構成部材の諸形状や寸法等は一例であって設計要求等に基づき種々変更可能である。
【００４０】
たとえば、前記第１の実施形態においては、前記太陽光発電パネル８を前記蓋体６に装着した例について示したが、これに代えて、図５に示すように、前記本体４の側面に太陽光発電パネル１４を装着しておき、この太陽光発電パネル１４を前記蓋体６に装着されている前記充電器９へ電線Ｌによって接続した構成とすることもできる。
【００４１】
このような構成とすることにより、前記太陽光発電パネル１４の設置スペースを拡大して、より多くの電力を利用することが可能となる。
【００４２】
ただし、この場合、前記蓋体６の着脱を阻害しないように、前記電線Ｌを、前記太陽光発電パネル１３あるいは前記充電器９に対して着脱可能な構成とする必要がある。
【００４３】
また、図６に示すように、前記補助発光体７を、前記本体４の開口部４ａ近傍の内側に配置するようにしてもよく、また、前記補助発光手段Ｓの全ての構成部材を前記本体４に設けるようにしてもよい。
【００４４】
そして、前記補助発光体７として、消費電力等を考慮してＬＥＤ発光体を用いることが好ましい。
【符号の説明】
【００４５】
１  携帯照明具
２  ケーシング
３  乾電池
４  本体
４ａ  開口部
５  発光体
６  蓋体
７  補助発光体
８  太陽光発電パネル（補助電池）
９  充電器（補助電池）
１０  二次電池（補助電池）
１１  スイッチ
１２  メインスイッチ
１３  乾電池
１４  太陽光発電パネル
Ｌ  電線
Ｓ  補助発光手段
【図１】
0003195488.tif 000003
【図２】
0003195488.tif 000004
【図３】
0003195488.tif 000005
【図４】
0003195488.tif 000006
【図５】
0003195488.tif 000007
【図６】
0003195488.tif 000008